(57)【特許請求の範囲】
【請求項１】
（Ａ）下記一般式（ＩＩ）で表される化合物（式中、ｍ＋ｎは１０〜５０である）からなる群から選択される少なくとも１種の化合物、
（Ｂ）下記一般式（ＩＩ）で表される化合物（式中、ｍ＋ｎは１〜３である）からなる群から選択される少なくとも１種の化合物、および
（Ｃ）非架橋型高分子ポリカルボン酸又はその塩
を含有し、
前記（Ａ）成分の含有量が０．４〜５質量％であり、
前記（Ｂ）成分の含有量が０．３〜５質量％であり、且つ、
（Ａ）／（Ｂ）の質量比が０．３〜５であることを特徴とする、自動食器洗い乾燥機用液体洗浄剤組成物。
【化１】
0005642533.tif 000007
（Ｒ3は炭素数８〜２０の直鎖又は分岐鎖のアルキル基又はアルケニル基、炭素数８〜２０の直鎖又は分岐鎖アルキル基を有するヒドロキシアルキル基、トリル基、フェニル基、ベンジル基のうちいずれかを示す。
ＥＯはエチレンオキサイド基を示す。ｍ、ｎはＥＯの平均付加モル数である。）
【請求項２】
（Ａ）／（Ｂ）の質量比が０．７〜３．０である、請求項１記載の自動食器洗い乾燥機用洗浄剤組成物。
【請求項３】
（Ｂ）成分の含有量が０．５〜３質量％である、請求項１又は２に記載の自動食器洗い乾燥機用洗浄剤組成物。
【請求項４】
（Ａ）成分の含有量が０．７〜３．５質量％である、請求項１〜３のいずれか一項記載の自動食器洗い乾燥機用洗浄剤組成物。
【請求項５】
前記（Ｂ）成分中、Ｒ3が炭素数１０〜１８の直鎖又は分岐鎖のアルキル基又はアルケニル基である、請求項１〜４のいずれか一項に記載の自動食器洗い乾燥機用洗浄剤組成物。
【請求項６】
前記（Ａ）成分中、Ｒ3が炭素数１０〜１８の直鎖又は分岐鎖のアルキル基又はアルケニル基である、請求項１〜５のいずれか一項に記載の自動食器洗い乾燥機用洗浄剤組成物。
【請求項７】
前記（Ｂ）成分が、ポリオキシエチレン（２）アルキルアミンである、請求項１〜６のいずれか一項に記載の自動食器洗い乾燥機用洗浄剤組成物。
【請求項８】
前記（Ａ）成分が、ポリオキシエチレン（１５）アルキルアミンである、請求項１〜７のいずれか一項に記載の自動食器洗い乾燥機用洗浄剤組成物。
【請求項９】
（Ｃ）成分が、（メタ）アクリル酸／マレイン酸共重合体又はその塩である、請求項１〜８のいずれか一項に記載の自動食器洗い乾燥機用洗浄剤組成物。
【発明の詳細な説明】
【技術分野】
【０００１】
本発明は、自動食器洗い乾燥機用洗浄剤組成物、特には低泡性で固体脂に対する洗浄力が高く、乾燥時間を短縮することの出来る自動食器洗い乾燥機用洗浄剤組成物に関する。
【背景技術】
【０００２】
高分子ポリカルボン酸又はその塩と、特定の４級アンモニウム化合物と、特定の界面活性剤と組み合わせた洗浄剤の例として、例えば、水溶性ポリマーと特定の４級アンモニウム化合物と界面活性剤を組み合わせた硬質体用液体洗浄剤組成物（例えば、特許文献１）や、少量の高分子ビルダーとビス−アルコキシ化第四アンモニウムカチオン系界面活性剤と界面活性剤とを組み合わせた手洗い洗濯洗剤（例えば、特許文献２）があるが、茶渋汚れに対する洗浄力とガラス製食器の仕上がり性を向上させ、更に牛脂等の強い汚れである固体脂に対する洗浄力、乾燥時間を短縮に優れた自動食器洗い乾燥機用液体洗浄剤組成物の提供する目的を達成するものではない。
【０００３】
一方、自動食器洗い乾燥機の普及により、自動食器洗い乾燥機用の洗浄剤組成物も知られている。
自動食器洗い乾燥機専用の洗浄剤組成物としては、例えば、性能・安定性を維持するために、水酸化アルキル金属塩等のアルカリ剤を含まず、金属イオン封鎖剤、非イオン界面活性剤、カチオン界面活性剤、有機電解質高分子重合体、アルキル脂肪族ジカルボン酸塩及び水等を含有し、０．０５〜０．３０質量％濃度に希釈した状態の２５℃におけるｐＨを７．０〜９．５の範囲とする自動食器洗浄機用液体洗浄剤組成物（特許文献３）が知られている。
また、高分子ポリカルボン酸又はその塩と分散剤とを同時に含有すると共に、特定の界面活性剤を含有して、これらの成分の相乗効果によって茶渋汚れに対する洗浄力の向上と共に、ガラス製食器の仕上がり性を向上させた自動食器洗い乾燥機用洗浄剤組成物（特許文献４）が知られている。
【０００４】
しかしながら、上記特許文献３〜４には、本願発明の構成を部分的に記載するものもあるが、特定の化合物２種を特定割合で組み合わせることにより、低泡性で、牛脂等の強い汚れである固体脂に対する洗浄力を満足し、かつ自動食器洗い乾燥機の使用時において、乾燥時間の短縮可能な自動食器洗い乾燥機用液体洗浄剤組成物についての記載や示唆は全くないものである。
【０００５】
近年、環境問題への意識の高まりから、食器洗浄機による食器洗浄には、使用時の利便性と共に、エネルギー削減のために洗浄後の乾燥時間を短縮する技術が要求されてきている。
また、引用文献４に代表される従来の食洗機洗剤は、茶渋や液体油に対する洗浄力、グラスの曇り洗浄力は良好であるものの、牛脂等の強い汚れである固体脂に対する洗浄力については更なる向上が求められている。
従って、乾燥時間の短縮、固体脂に対する洗浄力の向上を可能にする低泡性の自動食器洗い乾燥機用洗浄剤組成物に対する高い需要が存在する。
【先行技術文献】
【特許文献】
【０００６】
【特許文献１】特開平１１−２８６６９９号公報（特許請求の範囲、実施例等）
【特許文献２】特表平１１−５１０５５４号公報（特許請求の範囲、実施例等）
【特許文献３】特開２００２−１４６４００号公報（特許請求の範囲、実施例等）
【特許文献４】特開２００７−２３２６８号公報（特許請求の範囲、実施例等）
【発明の概要】
【発明が解決しようとする課題】
【０００７】
本発明は、上記課題に鑑みてなされたものであり、食器洗い乾燥機用洗浄剤を使用するユーザーの関心事である乾燥時間の短縮を実現させつつ、固体脂に対する洗浄力も良好な低泡性の食器洗い乾燥機用洗浄剤組成物を提供することを目的とする。
【課題を解決するための手段】
【０００８】
上記課題を解決するため、本発明は以下の構成を採用した。
すなわち、（Ａ）下記一般式（Ｉ）で表される化合物（式中、ｍ＋ｎは１０〜５０である）及び下記一般式（ＩＩ）で表される化合物（式中、ｍ＋ｎは１０〜５０である）からなる群から選択される少なくとも１種の化合物、および（Ｂ）下記一般式（Ｉ）で表される化合物（式中、ｍ＋ｎは１〜３である）及び下記一般式（ＩＩ）で表される化合物（式中、ｍ＋ｎは１〜３である）からなる群から選択される少なくとも１種の化合物、を含有する自動食器洗い乾燥機用液体洗浄剤組成物であって、前記（Ａ）成分の含有量が０．４〜５．０質量％であり、前記（Ｂ）成分の含有量が０．３〜５．０質量％であり、且つ、（Ａ）／（Ｂ）の質量比が０．３〜５．０であることを特徴とする、自動食器洗い乾燥機用液体洗浄剤組成物である。
【０００９】
【化１】
0005642533.tif 000002
【００１０】
（Ｒ1、Ｒ2は各々独立に、炭素数１〜２０の直鎖または分岐鎖のアルキル基又はアルケニル基、炭素数１〜２０の直鎖又は分岐鎖アルキル基を有するヒドロキシアルキル基、トリル基、フェニル基、ベンジル基のうちいずれかを示す。Ｒ3は炭素数８〜２０の直鎖又は分岐鎖のアルキル基又はアルケニル基、炭素数８〜２０の直鎖又は分岐鎖アルキル基を有するヒドロキシアルキル基、トリル基、フェニル基、ベンジル基のうちいずれかを示す。ＥＯはエチレンオキサイド基を示す。Ｘ-は、陰イオンを示す。ｍ、ｎはＥＯの平均付加モル数である。）
【発明の効果】
【００１１】
本発明によれば、食器洗い乾燥機用洗浄剤を使用するユーザーの関心事である乾燥時間の短縮を実現すると共に、固体脂に対する洗浄力にも優れた低泡性の自動食器洗い乾燥機用洗浄剤組成物を得ることが出来る。更に、本発明の好ましい態様によれば、茶渋洗浄力及びくもり洗浄力にも優れた自動食器洗い乾燥機用洗浄剤組成物を得ることができる。
【発明を実施するための形態】
【００１２】
＜＜（Ａ）一般式（Ｉ）及び／又は（ＩＩ）で表される化合物（ｍ＋ｎ＝１０〜５０）及び（Ｂ）一般式（Ｉ）及び／又は（ＩＩ）で表される化合物（ｍ＋ｎ＝１〜３）＞＞
本発明に使用される（Ａ）成分および（Ｂ）成分は、下記一般式（Ｉ）及び／又は下記一般式（ＩＩ）で表される化合物が使用される。（Ａ）成分は下記一般式（Ｉ）（式中、エチレンオキサイドの平均付加モル数の合計値ｍ＋ｎは１０〜５０である）および一般式（ＩＩ）（式中、エチレンオキサイドの平均付加モル数の合計値ｍ＋ｎが１０〜５０である）で表される化合物からなる群から選択される少なくとも１種の化合物であり、（Ｂ）成分は上記一般式（Ｉ）（式中、エチレンオキサイドの平均付加モル数の合計値ｍ＋ｎは１〜３である）および（ＩＩ）（式中、エチレンオキサイドの平均付加モル数の合計値ｍ＋ｎは１〜３である）で表される化合物からなる群から選択される少なくとも１種の化合物である。
【００１３】
【化２】
0005642533.tif 000003
【００１４】
上記式（Ｉ）中、Ｒ1及びＲ2は各々独立に、炭素数１〜２０、好ましくは炭素数１０〜１８の直鎖又は分岐鎖のアルキル基又はアルケニル基、炭素数１〜２０（好ましくは炭素数１０〜１８）の直鎖又は分岐鎖アルキル基を有するヒドロキシアルキル基、トリル基、フェニル基、ベンジル基のうちいずれかを示す。特に好ましくは、Ｒ1、Ｒ2のうち一方が炭素数１０〜１８の直鎖又は分岐鎖のアルキル基又はアルケニル基、他方がメチル基又はトリル基の組み合わせである。
ＥＯはエチレンオキサイド基を示す。
Ｘ-は、陰イオンであり、塩素イオン、臭素イオン、ヨウ素イオン等のハロゲン原子イオンや、一般式Ｒ5Ｏ-（但し、Ｒ5は、炭素数１〜３のアルキル基であり、特に好ましくはメチル基である。）で表されるイオン等が挙げられる。
【００１５】
上記式（ＩＩ）中、Ｒ3は、炭素数８〜２０、好ましくは炭素数１０〜１８の直鎖又は分岐鎖のアルキル基又はアルケニル基、炭素数８〜２０（好ましくは炭素数１０〜１８）の直鎖又は分岐鎖アルキル基を有するヒドロキシアルキル基、トリル基、フェニル基、ベンジル基のうちいずれかであり、特に好ましくは、炭素数１０〜１８の直鎖又は分岐鎖のアルキル基又はアルケニル基である。
ＥＯはエチレンオキサイド基を示す。
【００１６】
＜＜（Ａ）一般式（Ｉ）及び／又は（ＩＩ）で表される化合物（ｍ＋ｎ＝１０〜５０）＞＞
（Ａ）成分の化合物は、上記一般式（Ｉ）（式中、エチレンオキサイドの平均付加モル数の合計値ｍ＋ｎは１０〜５０、好ましくは１０〜４０、より好ましくは１５〜３０である）および一般式（ＩＩ）（式中、エチレンオキサイドの平均付加モル数の合計値ｍ＋ｎが１０〜５０、好ましくは１０〜３０、より好ましくは１０〜２０である）で表される化合物からなる群から選択される少なくとも１種の化合物が使用される。ｍ及びｎは、各々独立に０以上の数を示す。
ｍ＋ｎが上記範囲内であり、且つ（Ｂ）成分との質量比が０．３〜５．０、好ましくは０．７〜３．０（（Ａ）／（Ｂ））の範囲内であると、固体脂に対する洗浄力と乾燥性の効果を高めることが出来る。
【００１７】
（Ａ）成分の一般式（Ｉ）で示される化合物としては、例えば、一方社油脂工業（株）製の商品名「ビスノールＵＰ−１０」（Ｒ1：牛脂由来のアルキル基、Ｒ2：トリル基、ｍ＋ｎ＝３０、Ｘ-：Ｃｌ-）や、ライオン・アクゾ（株）製の商品名「エソカードＣ／２５」（Ｒ1：ヤシ由来のアルキル基、Ｒ2：メチル基、ｍ＋ｎ＝１５、Ｘ-：Ｃｌ-）等が市販されている。
また、（Ａ）成分の一般式（ＩＩ）で示される化合物としては、例えば、ライオン・アクゾ（株）製の商品名「エソミンＣ／２５」（Ｒ3：ヤシ由来のアルキル基、ｍ＋ｎ＝１５）、ライオン・アクゾ（株）製の商品名「ＥＴＨＯＭＥＥＮ・ＳＡ２Ｙ−１０３」（Ｒ3：硬化牛脂由来のアルキル基、ｍ＋ｎ＝５０）、ライオン・アクゾ（株）製の商品名「エソミンＳＡＪ−１０３」（Ｒ3：硬化牛脂由来のアルキル基、ｍ＋ｎ＝１０）等が市販されている。
（Ａ）成分の中で、一般式（ＩＩ）で示される、アルキルアミンのエチレンオキサイド付加物が低泡性の点から特に好ましい。
（Ａ）成分としては、一般式（Ｉ）又は一般式（ＩＩ）で表される化合物を単独で用いてもよく、２種以上を組み合わせて用いてもよい。
【００１８】
（Ａ）成分の合計含有量は、洗浄剤組成物全量に対して、０．４〜５．０質量％であり、好ましくは０．７〜３．５質量％である。
（Ａ）成分の含有量が０．４質量％未満であると、固体脂洗浄力が不十分となり、一方、５質量％を越えると、洗浄時に泡が立ち過ぎて機械が正常に作動しないことがある。
【００１９】
＜＜（Ｂ）一般式（Ｉ）及び／又は（ＩＩ）で表される化合物（ｍ＋ｎ＝１〜３）＞＞
（Ｂ）成分の化合物は、上記一般式（Ｉ）（式中、エチレンオキサイドの平均付加モル数の合計値ｍ＋ｎは１〜３、好ましくは２である）および一般式（ＩＩ）（式中、エチレンオキサイドの平均付加モル数の合計値ｍ＋ｎは１〜３、好ましくは２である）で表される化合物からなる群から選択される少なくとも１種の化合物が使用される。ｍ及びｎは、各々独立に０以上の数を示す。
ｍ＋ｎが上記範囲内であり、且つ（Ａ）成分との質量比が０．３〜５．０、好ましくは０．７〜３．０（（Ａ）／（Ｂ））の範囲内であると、固体脂に対する洗浄力と乾燥性の効果を高めることが出来る。
【００２０】
（Ｂ）成分の一般式（Ｉ）で示される化合物としては、ライオン・アクゾ（株）製、商品名「エソカードＣ／１２」（Ｒ1：ヤシ由来のアルキル基、Ｒ2：メチル基、ｍ＋ｎ＝２、Ｘ-：Ｃｌ-）等が市販されている。
また、（Ｂ）成分の一般式（ＩＩ）で示される化合物としては、例えば、ライオン・アクゾ（株）製、商品名「エソミンＣ／１２」（Ｒ3：ヤシ由来のアルキル基、ｍ＋ｎ＝２）、クラリアントジャパン（株）製、商品名「Ｇｅｎａｍｉｎ  Ｃ０２０」（Ｒ3：ヤシ由来のアルキル基、ｍ＋ｎ＝２）等が市販されている。
（Ｂ）成分の中で、一般式（ＩＩ）で示される、アルキルアミンのエチレンオキサイド付加物が低泡性の点から特に好ましい。
（Ｂ）成分としては、一般式（Ｉ）又は一般式（ＩＩ）で表される化合物を単独で用いてもよく、２種以上を組み合わせて用いてもよい。
【００２１】
（Ｂ）成分の合計含有量は、洗浄剤組成物全量に対して、０．３〜５．０質量％であり、好ましくは０．５〜３．０質量％である。
（Ｂ）成分の含有量が０．３質量％未満であると、固体脂洗浄力が不十分となり、一方、５質量％を越えると、洗浄時に泡が立ち過ぎて機械が正常に作動しないことがある。
【００２２】
本発明における（Ａ）成分および（Ｂ）成分の質量比は（Ａ）／（Ｂ）＝０．３〜５．０であり、好ましくは０．７〜３．０である。上記範囲内であると、食器洗い乾燥機に使用した際、乾燥時間を大幅に短縮でき、かつ、従来困難であった固体脂の洗浄力を向上させることが出来る。
これらの効果は、（Ａ）成分、（Ｂ）成分それぞれ単独では成しえることは出来ず、（Ａ）／（Ｂ）が上記の範囲であることが必要である。
【００２３】
如何なる理論にも拘束されるものではないが、（Ａ）成分と（Ｂ）成分を特定の質量比で併用することによって固体脂の洗浄力が向上する理由は以下のように推測される。
（Ｂ）成分はエチレンオキシド平均付加モル数が小さいため、疎水性が比較的高く、汚れ成分である固体脂に吸着しやすい。一方、（Ａ）成分はエチレンオキシド平均付加モル数が大きく、親水性が高い。従って、（Ｂ）成分を（Ａ）成分と特定比率で併用することにより、（Ｂ）成分が固体脂に吸着して食器から脂を引き剥がし、これを（Ａ）成分が包み込むことによって汚れを水中に効率的に分散できるようになる為、洗浄力が向上する。このような理由により、固体脂の洗浄力の向上といった効果が得られるものと推測される。
【００２４】
如何なる理論にも拘束されるものではないが、（Ａ）成分と（Ｂ）成分を特定の質量比で併用することによって乾燥性が向上する理由については、以下のように推測される。
（Ａ）成分及び（Ｂ）成分は弱いカチオン性を示し、食器や食洗機庫内に静電的に吸着して、最終すすぎ後の食器か食洗機庫内の表面に僅かに残る。これにより、食器や食洗機庫内の表面が（Ａ）／（Ｂ）成分の特定比率により適度に疎水化され、滑水性（表面から水を滑り落とす効果：撥水では無い）を向上させることが出来、結果として乾燥時間を短縮する。このような理由により、乾燥性の向上といった効果が得られるものと推測される。
【００２５】
＜＜任意成分＞＞
＜＜（Ｃ）非架橋型高分子ポリカルボン酸又はその塩＞＞
本発明の自動食器洗い乾燥機用洗浄剤組成物は、上記（Ａ）成分及び（Ｂ）成分に加えて、（Ｃ）非架橋型高分子ポリカルボン酸又はその塩を含有することが好ましい。
非架橋型高分子ポリカルボン酸又はその塩を含むことにより、本発明の自動食器洗い乾燥機用洗浄剤組成物は、茶渋汚れに対する洗浄力やガラス製食器の仕上がり性の点でも優れた効果を発揮することが出来る。なお、カルボキシビニルポリマーで代表される、架橋型ポリマーは増粘剤として有用であるが上記効果は十分には確認できない。
【００２６】
本発明に用いる（Ｃ）非架橋型高分子ポリカルボン酸又はその塩は、カルボキシル基を有するモノマーのホモポリマーであってもよく、２種以上のカルボキシル基を有するモノマーのコポリマーであってもよく、カルボキシル基を有するモノマーとカルボキシル基を有さないモノマーとのコポリマーであってもよい。ホモポリマーとしては、例えば、ポリ（メタ）アクリル酸又はその塩、ポリクロトン酸又はその塩、ポリイタコン酸又はその塩等があげられる。２種以上のカルボキシル基を有するモノマーのコポリマーとしては、例えば、（メタ）アクリル酸−マレイン酸共重合体又はその塩、アクリル酸−クロトン酸共重合体又はその塩があげられる。カルボキシル基を有するモノマーと、カルボキシル基を有さないモノマーとのコポリマーとしては、エチレン−マレイン酸共重合体又はその塩、メタクリル酸−アクリル酸エチル共重合体又はその塩が挙げられる。
この中でも、２種以上のカルボキシル基を有するモノマーのコポリマーが好ましく、アクリル酸／マレイン酸共重合体がより好ましい。
２種のカルボキシル基を有するモノマーのコポリマーの場合には、共重合比（モル比）は７５／２５〜５０／５０であることが好ましい。
【００２７】
（Ｃ）非架橋型高分子ポリカルボン酸又はその塩としては、ゲル浸透クロマトグラフィーにより測定される重量平均分子量が１万〜１０万であるものが好ましく、３万〜８万であるものがより好ましい。
【００２８】
非架橋型高分子ポリカルボン酸の塩としてはナトリウム塩、カリウム塩などが挙げられる。ナトリウム塩が好ましい。
特に好ましくは、重量平均分子量３万〜８万であり、且つ共重合比（モル比）が７５／２５〜５０／５０のアクリル酸／マレイン酸共重合体又はそのナトリウム塩である。
また、（Ｃ）成分の非架橋型高分子ポリカルボン酸又はその塩は、１種以上を単独で又は併用することができる。
【００２９】
（Ｃ）成分の非架橋型高分子ポリカルボン酸又はその塩の含有量は、洗浄剤組成物全量に対して、４〜５０質量％が好ましく、７〜５０質量％がより好ましく、１５〜５０質量％がさらにより好ましい。この範囲であると、乾燥時間がさらに短縮され、固体脂に対する洗浄力もさらに向上する。また、茶渋洗浄力とくもり洗浄力にも優れるため好ましい。
【００３０】
本発明の組成物は、上記各成分を常法により混合等することにより洗浄剤組成物として製造することができる。例えば、液状、ジェル状もしくはペースト状とすることが出来る。
【００３１】
本発明の組成物は、更に、本発明の効果を損なわない範囲内で、自動食器洗い乾燥機用洗浄剤組成物に通常使用されている上記以外の他の成分を含有してもよい。
他の成分の具体例としては、エタノール、プロピレングリコールや精製水等の溶媒類や、無機金属塩、植物抽出物、防腐・除菌・抗菌・殺菌剤、消臭剤、安定剤、増粘剤、（Ｃ）成分以外の高分子、（Ａ）成分および（Ｂ）成分以外のイオン性界面活性剤、さらにノニオン界面活性剤、香料、無機塩類、酵素、色素等が挙げられる。
【００３２】
ノニオン界面活性剤の具体例としてはアルキルグリコシド、ショ糖脂肪酸エステル、ポリグリセリン脂肪酸エステル等が挙げられるが、特にアルキルグリコシドが好ましく、更には２−エチルヘキシルグルコシドが好ましく、その配合量は特に限定はされないが、洗浄剤組成物全量に対して０．１〜１０％が好ましい。
除菌・抗菌・殺菌剤の具体例としては塩化モノアルキルトリメチルアンモニウム、塩化ジアルキルジメチルアンモニウム、塩化ベンザルコニウム等の４級アンモニウム塩、ポリリジン等の塩基性ポリペプチド、２−メチル−４−イソチアゾリン−３−オンや５−クロロ−２−メチル−４−イソチアゾリン−３−オンまたは２種の混合物、２−ブロモ−２−ニトロ−１，３−プロパンジオール、安息香酸および、またはその塩、パラオキシ安息香酸メチル、パラオキシ安息香酸エチル、パラオキシ安息香酸プロピル、パラオキシ安息香酸ブチル等が挙げられるが、特に４級アンモニウム塩が好ましくその配合量は特に限定はされないが、洗浄剤組成物全量に対して０．００１〜１％が好ましい。
増粘剤の具体例としてはカルボキシビニルポリマー、ポリアクリル酸、カルボキシメチルセルロース、ヒドロキシプロピルセルロース、ヒドロキシプロピルメチルセルロース、カラギーナン、キサンタンガム等が挙げられるが、特にカルボキシビニルポリマーが好ましく、その配合量は特に限定はされないが、洗浄剤組成物全量に対して０．０１〜５％が好ましい。
消臭成分の具体例としてはラベンダー、ローズマリー、クワ、セージ、カモミール、ジャスミン等から抽出した水溶性および油溶性エキスが挙げられるが特にラベンダー、ローズマリーの水溶性および油溶性エキスが好ましく、更には水溶性エキスが好ましく、その配合量は特に限定されないが、０．００１〜１％が好ましい。
酵素の具体例としてはアミラーゼ、プロテアーゼ、リパーゼ、セルラーゼ等が挙げられるが、特にアミラーゼ、プロテアーゼが好ましい。その配合量は特に限定されないが、洗浄剤組成物全量に対して０．１〜１０質量％が好ましい。
【００３３】
本発明の自動食器洗い乾燥機用液体洗浄剤組成物では、ｐＨは本発明の効果を損なわない範囲内で任意であるが、組成物の２５℃における０．２重量％水溶液のｐＨを６．０〜８．０とするように調整すると、アルミ製食器の仕上がり性の向上も同時に実現させることができるため好ましい。
ｐＨ調整剤としては、液状組成物に通常用いられる有機酸、無機酸、有機アルカリ剤、無機アルカリ剤を用いることができる。有機酸の例としては、クエン酸、ヒドロキシエタンジホスホン酸等が挙げられる。無機酸の例としては、塩酸、硫酸等が挙げられる。有機アルカリ剤の例としては、モノエタノールアミン、ジエタノールアミン、トリエタノールアミン等が挙げられる。無機アルカリ剤としては、水酸化ナトリウム、水酸化カリウムが挙げられる。
【実施例】
【００３４】
＜＜実施例１〜２２及び比較例１〜１０＞＞
下記表１〜３に示す配合組成で、スリーワンモーターと攪拌羽根を用いて各成分を配合して自動食器洗い乾燥機用液体洗浄剤組成物を調製した。
なお、表１〜３中の各略号は以下のものを示す。また、特に断りのない限り、表中の％は、組成物全体に対する各成分の質量％を表す。
なお、実施例１９〜２２は参考例である。
【００３５】
＜（Ａ）成分の一般式（Ｉ）、（ＩＩ）のｍ＋ｎが１０〜５０の化合物＞
Ａ−１：一般式（Ｉ）で表される化合物（但し、Ｒ1：ヤシ油由来のアルキル基、Ｒ2：メチル基、ｍ＋ｎ＝１５、Ｘ-＝Ｃｌ-）；ライオン・アクゾ（株）製、商品名「エソカードＣ／２５」
Ａ−２：一般式（Ｉ）で表される化合物（但し、Ｒ1：ヤシ油由来のアルキル基、Ｒ2：トリル基、ｍ＋ｎ＝３０、Ｘ-＝Ｃｌ-）；一方社油脂工業（株）製、商品名「ビスノールＵＰ−１０」
Ａ−３：一般式（ＩＩ）で表される化合物（但し、Ｒ3：ヤシ由来のアルキル基、ｍ＋ｎ＝１５）；ライオン・アクゾ（株）製、商品名「エソミンＣ／２５」
【００３６】
＜（Ｂ）成分の一般式（Ｉ）、（ＩＩ）のｍ＋ｎが１〜３の化合物＞
Ｂ−１：一般式（Ｉ）で表される化合物（但し、Ｒ1：ヤシ由来のアルキル基、Ｒ2：メチル基、ｍ＋ｎ＝２、Ｘ-＝Ｃｌ-）；ライオン・アクゾ（株）製、商品名「エソカードＣ／１２」
Ｂ−２：一般式（ＩＩ）で表される化合物（但し、Ｒ3：ヤシ由来のアルキル基、ｍ＋ｎ＝２）；ライオン・アクゾ（株）製の商品名「エソミンＣ／１２」
Ｂ−３（比較品）：ＣnＨ２n+1Ｏ（ＥＯ）3（ＰＯ）3Ｈ（ｎ＝１２／１３混合物（質量比６５／３５））、Ｓｈｅｌｌ製、商品名Ｎｅｏｄｏｌアルコールの平均ＥＯ：３、平均ＰＯ：３モル付加物。なお、ＥＯはエチレンオキサイド基を表し、ＰＯはプロピレンオキサイド基を表す。
【００３７】
（Ｂ−３の合成方法）
溶液ａとして、硝酸マグネシウム６水和物６８．０３ｇに、硝酸アルミニウム９水和物４７．６９ｇ、硝酸マンガン６水和物２４．４３ｇを４５０ｇの脱イオン水で溶解した。溶液ｂとして、炭酸ナトリウム１３．４７ｇを４５０ｇの脱イオン水で溶解した。
溶液ａと溶液ｂとを、予め１８００ｇの脱イオン水を仕込んだ触媒調製槽に、ＮａＯＨ水溶液でｐＨ＝９，温度を４５℃に保ちながら４５分で滴下した。１時間熟成した後、母液をろ別し、沈殿を６リットルの脱イオン水で洗浄し、噴霧乾燥することにより３０ｇの複合金属水酸化物を得た。
これを窒素雰囲気下８００℃で焼成することで、酸化マグネシウムを主成分とする複合金属酸化物触媒１９ｇを得た。
次に、オートクレーブ中に原料アルコールとしてＮｅｏｄｏｌ  ２３（Ｃ１２，１３・分岐率２０％：シェル社製）を１２０ｇ及び上述の触媒０．３ｇを仕込み、オートクレーブ内を窒素で置換した後、攪拌しながら昇温した。続いて、温度を１８０℃、圧力を０．５ＭＰａ以下に維持しつつ、エチレンオキサイド８２ｇを導入し、反応させた。得られたポリオキシアルキレンエーテルの平均エチレンオキサイド付加モル数は３であった。
更に、オートクレーブの温度１８０℃、圧力を０．５ＭＰａ以下に維持しつつ、プロピレンオキサイド１０８ｇを導入し、反応させた。得られたポリオキシアルキレンエーテルの平均プロピレンオキサイド付加モル数は３であった。反応液を８０℃まで冷却した後、水１１ｇ、ろ過助剤としてハイフロスーパーセル（セライト社製）を３ｇ添加、撹拌・混合した後、セルロースフィルター（定量濾紙５Ｃ：アドバンテック社製）を通して触媒を濾別した。このようにしてノニオン界面活性剤１を得た。
【００３８】
＜（Ｃ）成分の非架橋型高分子ポリカルボン酸＞
Ｃ−１：  アクリル酸／マレイン酸共重合物ソーダ塩、日本触媒（株）製、商品名アクアリックＴＬ−４００（質量平均分子量Ｍｗ＝５万）
Ｃ−２：  アクリル酸／マレイン酸共重合物ソーダ塩、ＢＡＳＦ製、商品名ソカランＣＰ７（質量平均分子量Ｍｗ＝５万）
Ｃ−３（Ａの比較品）：  ポリビニルアルコール、（株）クラレ製、商品名「クラレポバールＰＶＡ−１０３」
【００３９】
＜共通成分（配合量は有り姿での質量％）＞
Ｚ：  アミラーゼ（ノボザイムスジャパン（株）製の商品名「ターマミルウルトラ３００Ｌ」）１％、プロテアーゼ（ノボザイムスジャパン（株）製の商品名「サビナーゼウルトラ１６ＸＬ」）１％。
＜ｐＨ調整剤＞
全ての実施例及び比較例において、（Ａ）、（Ｂ）、（Ｃ）成分、および共通成分を表１〜３に示す配合割合で混合した後、イオン交換水を加えｐＨを調整して、１００質量％とした。なお、ｐＨ調整は水酸化ナトリウム溶液を用いてｐＨ７にとなるよう、適量添加し、組成物のｐＨを調整した。
【００４０】
得られた各組成物について、下記評価方法に基づき、乾燥性、固体脂の洗浄力、泡立ち、茶渋洗浄力、及びガラスのくもり洗浄力を評価した。
その結果を表１〜３に示す。
【００４１】
〔乾燥性評価法〕
白色陶器皿（直径２０ｍｍ）３枚を自動食器洗い乾燥機「パナソニック社製、機種ＮＰ−ＴＳ１」に装填し、調製した組成物６ｇを使用して低温コース洗浄（ヒーター乾燥無し）を行った。この後、送風モード（６０分間）とし、１０分毎に白色陶器皿の乾燥状態を目視にて判定し、下記の評価基準に従い、評価した。
商品価値上、◎〜○の評価を合格とした。
評価基準：
◎：３０分未満で乾燥した。
○：３０分以上〜４０分未満で乾燥した。
△：４０分以上〜５０分未満で乾燥した。
×：５０分以上で乾燥した。
【００４２】
〔固体脂の洗浄力の評価法〕
牛脂（和光純薬工業（株）製）２ｇを塗布したポリプロピレン製弁当箱（内寸：たて１１３ｍｍ、よこ１７４ｍｍ、深さ３５ｍｍ、上面が開放されている）を、自動食器洗い乾燥機「松下電器産業（株）製、機種ＮＰ−４０ＳＸ２」に装填し、調製した組成物６ｇを使用して標準コース洗浄を行い、ポリプロピレン製弁当箱への脂の残留具合を以下の評価基準に基づいて官能評価した。
評価基準（商品価値上、◎〜○の評価を合格とした）
◎：油滴が残留しておらず、ぬるつきも感じられない。
○：油滴の残留は認められないが、ごくわずかにぬるつきが感じられる。
△：わずかに油滴の残留が認められる。
×：油滴の残留が著しく認められる。
【００４３】
〔泡立ち評価法〕
自動食器洗い乾燥機「松下電器産業（株）製、機種ＮＰ−４０ＳＸ２」に、調製した組成物６ｇを添加し、標準コースにて洗浄を開始した。洗浄開始から１分後に乾燥機の蓋を開け、泡立ちを以下の評価基準に基づいて官能評価した。
評価基準（商品価値上、◎〜○の評価を合格とした）
◎：少し泡立っている。
○：やや泡立っている。
△：かなり泡立っている。
×：非常に泡立っている。
【００４４】
〔茶渋洗浄力の評価法〕
紅茶を飲み干してから２５℃、５０％ＲＨ条件下に５日間放置した紅茶汚垢の付いたコーヒーカップ（内径７０ｍｍ、高さ７０ｍｍ）３個を自動食器洗い乾燥機「松下電器産業（株）製、機種ＮＰ−４０ＳＸ２」に装填し、調製した組成物６ｇを使用して標準コース洗浄を行い、仕上がり具合を以下の評価基準に基づいて官能評価した。
評価基準（商品価値上、◎〜○の評価を合格とした）
◎：汚れは全く残留しておらず、ざらつき等の違和感も感じられない。
○：汚れの残留は目視では認められないが、触るとわずかにざらつきを感じる。
△：汚れの残留が目視で若干認められる。
×：汚れが落ちていない。
【００４５】
〔ガラスのくもり洗浄力の評価法〕
ガラスコップ（上径６３ｍｍ、下径５３ｍｍ、高さ１００ｍｍ）を自動食器洗い乾燥機に充填し、炭酸ナトリウム１．２ｇを機内に入れ、洗浄〜すすぎの全行程を３０度（ドイツ硬度）硬水で行うことによりコップ白化させた。そのコップを自動食器洗い乾燥機「松下電器産業（株）製、機種ＮＰ−４０ＳＸ２」に装填し、調製した組成物６ｇを使用して標準コース洗浄を行い、仕上がり具合を以下の評価基準に基づいて官能評価した。
評価基準（商品価値上、◎〜○の評価を合格とした）
◎：白化物は全く残留しておらず、ざらつき等の違和感も感じられない。
○：部分的にわずかに白化物の残留が認められる。
△：白化物の残留が目視で若干認められ、全体的に透明感が失われている。
×：白化物が落ちていない。
【００４６】
【表１】
0005642533.tif 000004
【００４７】
【表２】
0005642533.tif 000005
【００４８】
【表３】
0005642533.tif 000006
【００４９】
上記表１〜３の結果から、本発明の実施例１〜２２は、比較例１〜９と比較して、低泡性を確保しつつも乾燥時間が短縮され、固体脂の洗浄力にも優れることが明らかとなった。また、本発明の実施例１〜２０は、茶渋洗浄力及びくもり洗浄力の点でも良好な結果が得られることが判った。
比較例１は、（Ａ）成分が含まれていないため、乾燥性及び固体脂の洗浄力に劣り、更には茶渋洗浄力の点でも十分な結果は得られなかった。
比較例２及び３は、（Ｂ）成分が含まれていないか（比較例２）、或いは本発明で用いられる（Ｂ）成分とは異なるものを用いた（比較例３）ため、乾燥性及び固体脂の洗浄力に劣る結果となった。
比較例４〜７は、（Ａ）成分と（Ｂ）成分との含有比が本発明の範囲外であり、比較例４、６についてはそれぞれ（Ａ）成分、（Ｂ）成分の量も本発明の範囲外であるため、乾燥性及び固体脂の洗浄力に劣る結果となった。
比較例８は、（Ａ）成分と（Ｂ）成分の量が本発明における上限値よりも大きいため、泡立ちを抑えることが出来なかった。
比較例９は、（Ａ）成分と（Ｂ）成分の量が本発明における下限値よりも小さいため、固体脂の洗浄力に劣る結果となった。